(57)【要約】【課題】軒樋に勾配をつけるための軒樋吊り具の位置決め作業を簡単に行えるようにする。【解決手段】鼻隠し２に接合する基部６１の前面に軒樋４の前耳部４１を支持する腕部６２と後耳部４２を支持する突部６３が設けられてなる軒樋吊り具６を、前記基部６１の下端に、所定長さ下方へ延びた突片６４が薄肉な切断縁６５を介して一体に設けて形成する。軒樋４の雨水流路上流側を支持する軒樋吊り具６を、その突片６４の下端を鼻隠し２の水平基準に合わせて固定し、下流側を支持する軒樋吊り具６を、切断縁６５で突片６４を切除し、その基部６１の下端を前記水平基準に合わせて固定し、両軒樋吊り具６、６に軒樋４を架け渡す。【選択図】図１
2008261097.tif 000002
【特許請求の範囲】
【請求項１】
鼻隠しに接合する基部の前面に軒樋の前耳部を支持する腕部と後耳部を支持する突部が設けられてなる軒樋吊り具において、
前記基部の下端に、所定長さ下方へ延びた突片が薄肉な切断縁を介して一体に設けられていることを特徴とする軒樋吊り具。
【請求項２】
鼻板の前面を覆う前面被覆部の上部に前方へ折れた水切り部、下部に前方傾斜部を介して鼻板の下面を覆う下面被覆部を備え、前面被覆部を鼻板の前面に固定し、下面被覆部の端部を鼻板の下面に固定して軒先に取り付けられた鼻隠しに沿って請求項１に記載の軒樋吊り具を取り付けるにあたり、
軒樋の雨水流路上流側を支持する軒樋吊り具を、その突片の下端が鼻隠しの前面被覆部と前方傾斜部の間の折れ線に重なる位置で鼻隠しに基部を固定し、
下流側を支持する軒樋吊り具を、切断縁で突片を切除し、その基部の下端が鼻隠しの前記折れ線に重なる位置で鼻隠しに基部を固定することを特徴とする軒樋吊り具の取り付け構造。
【発明の詳細な説明】
【技術分野】
【０００１】
本発明は、軒樋の上方に臨む水切り部を備えた化粧鼻隠しに取り付けて軒樋を支持する軒樋吊り具に関する。
【背景技術】
【０００２】
軒先に軒樋を取り付けるときに、軒樋に流れ落ちた雨水が集水器まで流下するように、軒樋には適宜な勾配がつけられる。この勾配は軒樋を支持する金具の固定位置を隣接する金具同士で上下方向にずらすことでつけており、そのため、金具を取り付ける際に鼻板の前面に水糸を張るなどして固定位置を調整する必要があるが、この位置決め作業は手間がかかり、作業にも熟練を要するものであった。
【０００３】
このような金具の位置決め作業の手間を解消するため、例えば図５に示されるように、軒樋を支持する金具１０を、上端を鼻板の上端に当てて鼻板前面に固定される突き当て片１１と、突き当て片１１を跨いで鼻板に固定される固着板１２と、突き当て片１１と固着板１２の間に端部を挟み入れて鼻板の前方に支持される軒樋係合金具１３とから構成し、勾配をつけるための軒樋の高さ調節を、突き当て片１１に沿って固着板１２の取り付け位置を上下にずらすことで、簡単に行えるようにした構造のものが知られている（例えば特許文献１参照）。
【０００４】
【特許文献１】特開２００１−１２３６０６号公報
【発明の開示】
【発明が解決しようとする課題】
【０００５】
近時、住宅に関する関心は、これまでの内部中心から外観へと移行し、軒樋を含む軒先の外観も、屋根や外装などとマッチしたデザインのものが求められるようになっている。
例えば図６に示されるように、鼻板１の前面を覆う前面被覆部２１の上部に前方へ折れた水切り部２２、下部に前方傾斜部２３を介して鼻板１の下面を覆う下面被覆部２４を備えた化粧鼻隠し２を鼻板１に取り付け、水切り部２２の先端に軒先水切り３を係合し、前面被覆部２１には軒樋４を支持する軒樋吊り具５を取り付けて、軒樋４と鼻板１の隙間が鼻隠し２で覆われるようにし、恰も軒樋４が軒先に一体に組み込まれた如き外観を呈するように軒先を造作することが行われている。
【０００６】
軒樋４が軒先に一体に組み込まれた外観のものでは、軒樋４の勾配が大きいと、軒先に沿って斜めになった軒樋４が目立ってしまうため、軒樋４につける勾配は小さく設定する必要がある。この場合に、前記鼻隠し２はその前面被覆部２１の上下幅が狭く形成されているので、軒樋吊り具５に代えて前記高さ調節機能を備えた金具１０を用いることができず、鼻隠し板２の前面に水糸を張るなどして軒樋吊り具５の固定位置を手作業で微妙に調節する必要があり、軒樋吊り具５の取り付けに手間がかかっていた。
【０００７】
本発明は従来技術の有するこのような問題点に鑑み、軒樋に勾配をつけるための、軒樋吊り具の固定位置の位置決めを簡単に行えるようにすることを課題とする。
【課題を解決するための手段】
【０００８】
前記課題を解決するため本発明は、鼻隠しに接合する基部の前面に軒樋の前耳部を支持する腕部と後耳部を支持する突部が設けられてなる軒樋吊り具において、前記基部の下端に、所定長さ下方へ延びた突片が薄肉な切断縁を介して一体に設けられていることを特徴とするものである。
【０００９】
また、本発明の軒樋吊り具の取り付け構造は、鼻板の前面を覆う前面被覆部の上部に前方へ折れた水切り部、下部に前方傾斜部を介して鼻板の下面を覆う下面被覆部を備え、前面被覆部を鼻板の前面に固定し、下面被覆部の端部を鼻板の下面に固定して軒先に取り付けられた鼻隠しに沿って前記構成の軒樋吊り具を取り付けるにあたり、軒樋の雨水流路上流側を支持する軒樋吊り具を、その突片の下端が鼻隠しの前面被覆部と前方傾斜部の間の折れ線に重なる位置で鼻隠しに基部を固定し、下流側を支持する軒樋吊り具を、切断縁で突片を切除し、その基部の下端が鼻隠しの前記折れ線に重なる位置で鼻隠しに基部を固定することを特徴とするものである。
【００１０】
これによれば、鼻隠しの折れ線に沿って軒樋吊り具を取り付ける際に、雨水流路下流側で軒樋を支持する軒樋吊り具をその突片を切除して取り付けることにより、上流側の軒樋吊り具よりも下流側の軒樋吊り具の方が突片の長さの分だけ固定位置が低くなり、両軒樋吊り具で支持する軒樋に突片の長さ分の勾配をつけることができる。鼻板に沿って水平に取り付けられる鼻隠しの折れ線を軒樋吊り具の固定位置を決める水平基準とすることで、水糸を張る手間が省け、また、下流側の軒樋吊り具の突片を切除して取り付けるという簡単な作業で軒樋に確実に勾配をつけることができる。
【発明を実施するための最良の形態】
【００１１】
本発明の好適な一実施形態を図面を参照して説明する。
図１は本発明の一実施形態の軒樋吊り具の外観斜視図、図２は図１の軒樋吊り具の側面図、図３は図１の軒樋吊り具の後面図（Ａ）と断面図（Ｂ）、図４は図１の軒樋吊り具が取り付けられた軒先の概略断面図であり、（Ａ）は上流側、（Ｂ）で下流側の断面をそれぞれ示している。各図において、符号１は鼻板、２は鼻隠し、３は軒先水切り、４は軒樋、６は本形態の軒樋吊り具、７は落ち葉除けカバー、８は軒天井をそれぞれ示している。
【００１２】
図１〜図３に示されるように、本形態の軒樋吊り具６は、鼻隠し２に接合する基部６１の前面に、軒樋４の前耳部４１を支持する腕部６２と後耳部４２を支持する突部６３を設け、基部６１の下端に、所定長さ下方へ延びた突片６４を薄肉な切断縁６５を介して一体に設けて形成してある。
【００１３】
より詳しくは、腕部６２は、その先端部を軒樋４の前耳部４１内に係入し、当該先端部上面に設けた係合部６２ａに前耳部４１の縁部を係合させて前耳部４１を支持し、また、突部６３は軒樋４の後耳部４２の外方折れ部に下側から係合して後耳部４２を支持するように設けてある。前記腕部６２には落ち葉除けカバー７の下面を支持する脚体７１が嵌合する通孔６２ｂを設けてある。
また、突片６４は、基部６１の下端から１〜２ｃｍ程度下方へ突出した、幅２ｃｍ程度の矩形板状の部分であり、カッターなどの切断刃を用いて、薄肉な切断縁６５に沿って基部６１から容易に切除することができるように設けてある。なお、突片６４の下端と切断縁６５は、基部６１の上下両端と平行に設けてある。
基部６１には前面から後面に貫通する丸穴６６と、上下方向に長い長穴６７とが設けられており、鼻隠し２に軒樋吊り具６を接合する際に長穴６７にビス等を挿通して仮接合し、軒樋吊り具６の高さ位置と傾きを適宜調整してから丸穴６６にビス等を挿通して固定できるようになっている。
【００１４】
このように形成された軒樋吊り具６は、軒先に沿って支持される軒樋４の雨水流路上流側では図１に示した形状のままの軒樋吊り具６を取り付け、下流側では突片６４を切除した軒樋吊り具６を取り付け、両軒樋吊り具６、６の固定位置を上下にずらして下流側が低くなるように取り付けることで、水糸を張って取り付け位置の調整をしなくとも、両軒樋吊り具６、６で支持する軒樋４に突片６４の長さ分の勾配をつけることが可能である。
【００１５】
すなわち、図４は鼻板１の前面を覆う前面被覆部２１の上部に前方へ折れた水切り部２２、下部に前方傾斜部２３を介して鼻板１の下面を覆う下面被覆部２４を備えた鼻隠し２を、前面被覆部２１を鼻板１の前面に固定し、下面被覆部２４の端部を鼻板１の下面に固定して軒先に取り付け、この鼻隠し２に沿って前記軒樋吊り具６を取り付けて軒樋４を支持した軒先の概略断面を示している。
この場合の施工は、先ず、軒樋４の雨水流路上流側を支持する軒樋吊り具６を、その突片６４の下端が鼻隠し２の前面被覆部２１と前方傾斜部２３の間の折れ線２５に重なる位置に合わせた状態で前面被覆部２１に基部６１を固定する（同図（Ａ）参照）。
次いで、軒樋４の雨水流路下流側を支持する軒樋吊り具６を、その突片６４を切断縁６５に沿って切除しておき、基部６１の下端が鼻隠し２の前記折れ線２５に重なる位置に合わせた状態で前面被覆部２１に基部６１を固定する（同図（Ｂ）参照）。
そして、鼻隠し２に固定された両軒樋吊り具６、６に軒樋４を架け渡して支持させれば、下流側の軒樋吊り具６の方が上流側よりも突片６４の長さ分低い位置に取り付けてあるので、軒樋４は上流側の軒樋吊り具６から下流側の軒樋吊り具６に向けて下り傾斜し、両軒樋吊り具６、６の固定位置をそれぞれ調整しなくても、下流側の軒樋吊り具６の突片６４を切除して取り付けるという簡単な作業で、軒樋４に勾配をつけることができる。このとき、両軒樋吊り具６、６の取り付け間隔が広くなり過ぎる場合には、両軒樋吊り具６、６の間に突片６４を切除した別の軒樋吊り具６を取り付け、高さ位置を適宜調整しながら固定するとよい。
【００１６】
なお、図示した軒樋吊り具の形状は一例であり、本発明の軒樋吊り具は、軒樋の大きさや形状、鼻隠しの形状などに応じて適宜な形状に設けることが可能である。また、前記突片６４に上下複数本の切断縁６５を設けておき、軒樋を支持する軒樋吊り具６の高さ位置に応じて切除する切断縁６５を適宜選択できるようにしてもよい。
また本発明の軒樋吊り具は、突片を切除していないものを一般タイプの軒樋吊り具として使用するとともに、突片を切除したものを積雪対応型の軒樋吊り具として使用することもできる。すなわち、積雪量の多い地域では雪の重みで軒先のスレートが崩壊することがあるため、軒先を鋼板や銅板で葺くことがある。このとき、軒樋の取り付け位置が一般タイプの軒樋より低くなるため、突片を切除した軒樋吊り具を使用するとよい。
【図面の簡単な説明】
【００１７】
【図１】本発明の一実施形態の軒樋吊り具の外観斜視図である。
【図２】図１の軒樋吊り具の側面図である。
【図３】図１の軒樋吊り具の後面図（Ａ）と断面図（Ｂ）である。
【図４】図１の軒樋吊り具が取り付けられた軒先の概略断面図であり、（Ａ）は上流側、（Ｂ）は下流側の断面である。
【図５】従来の軒樋支持金具の外観斜視図である。
【図６】従来の軒樋吊り具が取り付けられた軒先の概略断面図である。
【符号の説明】
【００１８】
１  鼻板、２  鼻隠し、２１  前面被覆部、２２  水切り部、２３  前方傾斜部、２４  下面被覆部、２５  折れ線、３  軒先水切り、４  軒樋、６  軒樋吊り具、６１  基部、６２  腕部、６３  突部、６４  突片、６５  切断縁、７  落ち葉除けカバー、８  軒天井
【図１】
2008261097.tif 000003
【図２】
2008261097.tif 000004
【図３】
2008261097.tif 000005
【図４】
2008261097.tif 000006
【図５】
2008261097.tif 000007
【図６】
2008261097.tif 000008